(57)【特許請求の範囲】
【請求項１】
情報の通信部と、受信画像を格納する画像メモリと、前記受信画像を記録紙にプリントする記録部と、前記記録部のプリンタヒータへの電力供給を遮断して低電力モードを設定する制御部と、発信元に対し低電力モードを解除する設定および発信元に対し転送先を指定する設定を予め登録するメモリとを備え、前記低電力モード時に受信した画像を、当該発信元に対して低電力モードを解除する設定であるときには低電力モードを解除して前記受信した画像を記録紙にプリントし、当該発信元に対して転送先を指定する設定であるときには低電力モードの状態で前記受信した画像を転送先に転送することを特徴とする通信端末装置。
【請求項２】
前記メモリに連絡先を予め設定して登録し、連絡先を登録した発信元からの受信画像があるときに、前記連絡先に報知することを特徴とする請求項１に記載の通信端末装置。
【請求項３】
前記メモリに連絡先を予め設定して登録し、前記連絡先を登録した発信元からの受信画像をプリント、または転送先に転送したときに、前記連絡先に報知することを特徴とする請求項１に記載の通信端末装置。
【発明の詳細な説明】
【０００１】
【発明の属する技術分野】
本発明は、省エネ状態であっても、特定の発信元からの受信画像をプリントしたり転送先に転送することができる通信端末装置に関する。
【０００２】
【従来の技術】
コピ−機能を併せ持つファクシミリ装置（以下、複合機と略記する）のような通信端末装置においては、一般に、オ−トドキュメントフィ−ダ（ＡＤＦ）やフラットベッド型の読み取り用原稿載置台が備え付けられている。ＡＤＦは、多数枚の被読取原稿を光学読取系に連続自動給送して各原稿面から画像を連続的に読み取るためのものである。
【０００３】
また、フラットベッド型の読み取り用原稿載置台は、透明な原稿支持板としてのカバ−ガラスを有しており、そのカバ−ガラス上の所定位置に利用者が被読取原稿を一枚づつ載置し、それを光学読取系で読み取らせている。このようなフラットベッド型の原稿載置台を用いる読み取り方式は、一般にブック読み取りといわれている。原稿支持板としてのカバ−ガラスは、光学読取系と共にフラットベッドスキャナ（ＦＢＳ）を構成している。
【０００４】
複合機で原稿をコピ−する際には、コピ−部数や原稿の種類（通常の文字や図形のイメ−ジ情報か写真か）に応じた読み取りモ−ド（解像度）を指定してから、スタ−トボタンを押して原稿の読み取りを開始し、指定した部数の記録紙にコピ−プリントしている。
【０００５】
ところで、最近の環境問題への配慮からこの種の通信端末装置においては、できるだけ電力消費を低減させる試みがなされている。例えば、キ−操作やタイマにより所定の設定をすることにより表示部やプリンタヒ−タへの電力供給を停止して、低電力モ−ド（以下、省エネという）で通信端末装置を動作させ電力消費を低減させている。通信端末装置が省エネ状態となっている場合に画像を受信すると、当該画像はメモリに格納される。
【０００６】
【発明が解決しようとする課題】
このように、省エネ状態となっているときに受信した画像は一旦メモリに格納され、キ−操作または設定された時間が経過して省エネが解除されるまではプリントできないことになる。このため、特定の発信元からの重要な情報を見落としてしまい、対応が遅れるという問題があった。
【０００７】
本発明は、かかる現状に鑑みてなされたものであり、省エネ状態であっても、特定の発信元からの受信画像をプリントすることができる通信端末装置の提供を目的とする。
【０００８】
【課題を解決するための手段】
上記目的は、請求項１に係る発明において、通信端末装置を、情報の通信部と、受信画像を格納する画像メモリと、前記受信画像を記録紙にプリントする記録部と、前記記録部のプリンタヒータへの電力供給を遮断して低電力モードを設定する制御部と、発信元に対し低電力モードを解除する設定および発信元に対し転送先を指定する設定を予め登録するメモリとを備え、前記低電力モード時に受信した画像を、当該発信元に対して低電力モードを解除する設定であるときには低電力モードを解除して前記受信した画像を記録紙にプリントし、当該発信元に対して転送先を指定する設定であるときには低電力モードの状態で前記受信した画像を転送先に転送する構成とすることによって達成される。
【００１０】
また、請求項２に係る発明は、請求項１に記載の通信端末装置において、前記メモリに連絡先を予め設定して登録し、連絡先を登録した発信元からの受信画像があるときに、前記連絡先に報知することを特徴としている。
【００１１】
更に、請求項３に係る発明は、請求項１に記載の通信端末装置において、前記メモリに連絡先を予め設定して登録し、前記連絡先を登録した発信元からの受信画像をプリント、または転送先に転送したときに、前記連絡先に報知することを特徴としている。
【００１２】
請求項１に係る発明によれば、低電力モ−ドのときに特定の発信元から画像を受信すると低電力モ−ドを解除して受信画像を記録紙にプリントしている。このため、重要な情報の見落としを防止できる。
【００１３】
また、低電力モードのときに特定の発信元から受信した画像を転送先に転送している。このため、通信端末装置を低電力モードに維持したままで、転送先で受信画像をプリントして内容の確認ができる。
【００１４】
請求項２に係る発明によれば、低電力モードのときに特定の発信元から受信画像があることを連絡先に報知している。このため、ユーザが通信端末装置が設置されている場所に不在の場合でも、連絡先から通信端末装置側のオペレータに、当該受信画像の処理について適切な指示等を出すことができる。
【００１５】
請求項３に係る発明によれば、ユーザが通信端末装置が設置されている場所に不在の場合でも、連絡先への報知により、低電力モードのときに特定の発信元から受信した画像がプリントされたこと、または転送先に転送されたことを確認することができる。
【００１６】
【発明の実施の形態】
以下、本発明の実施の形態について図面を参照して説明する。図２は本発明が適用される通信端末装置を通信回線に配置した例を示すブロック図である。図２において、１は発信元、２は交換機、３は通信端末装置、４、５は転送先、６は携帯電話のような連絡先である。なお、図２では転送先は２個所設定されているが、転送先はユ−ザが所定数設定できるものである。
【００１７】
発信元１から送信された画像を交換機２を通して通信端末装置３が受信して画像メモリに記憶する。通信端末装置３は転送元となって、受信した画像を必要に応じて交換機２を通して転送先４、５に転送する。また、通信端末装置３は携帯電話のような連絡先６に受信した画像の転送を報知する。このため、ユ−ザが通信端末装置が設置されている場所に不在の場合でも、連絡先６への報知により、受信した画像が転送されたことを確認することができる。
【００１８】
図１は本発明の通信端末装置の制御装置を示す概略のブロック図である。次にこのブロック図について説明する。制御装置２０には、中央演算制御部（ＣＰＵ）２１、ネットワ−クコントロ−ルユニット（ＮＣＵ）２２、モデム２３、画像メモリ２４、ＲＡＭ２５、ＲＯＭ２６、コ−デック２７、表示部２８、操作部２９、読取部３０、記録部３１、パ−ソナルコンピュ−タ（ＰＣ）のインタ−フェイス３２、音声処理部３６の複数の構成要素が設けられている。
【００１９】
３３はＰＣのインタ−フェイス３２に接続されるＰＣである。また、３４は制御装置２０のメイン電源、３５は制御装置２０のサブ電源である。ＣＰＵ２１にはプログラムで動作する複数のタイマが設定される。これらのタイマは、それぞれ異なるタイムアップの時間が設定されている。音声処理部３６は、音声のメッセ−ジを送出する。
【００２０】
回線制御部（ＮＣＵ）２２は、電話回線Ｌの閉結及び開放を制御すると共に、相手先のファクス番号に対応したダイヤルパルスの送出及び着信を検出する。モデム２３は送受信デ−タの変調及び復調を行う。このように、回線制御部（ＮＣＵ）２２とモデム２３は情報の通信部として機能している。画像メモリ２４は、受信画像や光学読取系で読み取られた画像（イメ−ジデ−タ）を一時的に記憶する。
【００２１】
ＲＡＭ２５は、制御プログラムに従う演算処理で得られた一時的なデ−タ等を保管する作業エリアとして機能する。また、転送先の電話番号を予め設定しておく転送テ−ブルが格納される。更に、省エネを解除する特定の発信元を予め登録するテ−ブルや、後述するように、省エネを解除して受信画像をプリントしたり転送したときに連絡する携帯電話の番号等の連絡先テ−ブルが格納されている。ＲＯＭ２６には、本機の動作制御に必要な各種の制御プログラムが記憶されている。
【００２２】
コ−デック２７は、読取部３０で読み取られた画像デ−タを他のファクシミリ装置等に送信する際に、ＭＨ、ＭＲ、ＭＭＲ方式等で符号化（エンコ−ド）する。また、他のファクシミリ装置等から受信した画像デ−タを復合化（デコ−ド）する。表示部２８は液晶表示パネルや発光ダイオ−ド（ＬＥＤ）を備えており、装置の作動状態等の各種情報の表示を行う。
【００２３】
操作部２９には、コピ−キ−２９ａ、省エネキ−２９ｂが設けられている。また、操作部２９には、テンキ−、スタ−トキ−、停止キ−等の装置の操作に必要な各種キ−が備えられている。
【００２４】
更に、操作部２９には、コピ−・ファクシミリ複合機をコピ−モ−ドとファクシミリ通信モ−ドとのいずれの機能を選択するかのコピ−／通信キ−、原稿が文字等のイメ−ジ情報か写真情報かに応じてコピ−の読み取りモ−ド（解像度）を設定する読み取りモ−ドキ−、自動縮小、自動記録紙選択モ−ドを設定するキ−等のモ−ドキ−が設けられている。これらのモ−ドは、表示部２８の画面上でタッチパネルにより選択して設定する構成とすることができる。
【００２５】
読取部３０は光学読取系で構成されており、画像読み取り用のＣＣＤ３０ａの信号を画像処理回路３０ｂに入力し、原稿画像デ−タが文字等のイメ−ジ情報か、または写真情報かに応じて、すなわち、原稿画像デ−タの濃淡の分布やばらつき等の特性に応じて像域分離処理をしてから、それぞれの像域で２値化処理を行なう。また、読取部３０には、適宜のインタフェ−スを介して原稿センサ３０ｃ、光源３０ｄ、モ−タ３０ｅが接続されている。
【００２６】
記録部３１は電子写真方式のプリンタよりなり、受信画像や光学読取系で読み取られた画像を、図示しない給紙カセットから供給される定形サイズの記録紙上にコピ−する。また、現在時刻をカウントする時計部を設け、その出力を用いて受信した原稿にその時点の時刻を印字することも可能である。３１ａは紙詰まり（ジャム）を検出するセンサ、３１ｂはプリンタヒ−タである。
【００２７】
３２はパ−ソナルコンピュ−タ（ＰＣ）のインタフェイスで、外部ＰＣ３３を接続する。Ｔ１はＣＰＵ２１の信号で表示部２８へのメイン電源の供給を遮断するスイッチ、Ｔ２はＣＰＵ２１の信号で記録部３１のプリンタヒ−タ３１ｂへのメイン電源の供給を遮断するスイッチである。また、ＣＰＵ２１は信号Ｕ１でメイン電源３４と制御部２０との接続を遮断する。更に、ＣＰＵ２１からの信号Ｕ２で、ＣＰＵ２１およびＮＣＵ２２とＰＣインタフェ−ス３２のＣＰＵ２１の周辺回路への電力供給電源を、メイン電源３４からサブ電源３５に切り替える。これらのスイッチの動作および電源の切替は、ＣＰＵのプログラムで実行される。
【００２８】
本発明においては、記録部３１のプリンタヒ−タ３１ｂへのメイン電源の供給を遮断して省エネ状態としたときに、予め設定されている特定の発信元から画像を受信した場合には、プリンタヒ−タ３１ｂへメイン電源を供給して省エネを解除する。そして、受信画像をプリントし、予め設定されている連絡先にその旨を報知する構成としている。従って、コピ−機能がない場合でも、少なくとも電子写真方式等のプリンタを具備する通信端末装置に適用されるものである。
【００２９】
図３は、省エネを解除する特定の発信元を予め登録するテ−ブルの例を示す説明図である。次にこのテ−ブルについて説明する。（ａ）欄には、発信元の名称を記入する。（ｂ）欄には、各発信元の発信元情報（ＴＳＩ）を記入する。（ｃ）欄には、各発信元毎に、省エネ解除とするかどうかを記入する。このテ−ブルは、例えば図１のＲＡＭ２５に格納される。
【００３０】
発信元から通信端末装置が画像を受信した際に前記テ−ブルを参照し、ＴＳＩから発信元を特定する。そして、当該の発信元は省エネ解除の設定となっているかどうかを判定し、省エネ解除の設定となっている場合には、プリンタヒ−タにメイン電源を供給する。なお、（ｂ）欄には、ＴＳＩに代えて通信手順で送信される発信元のパスワ−ド（ＰＷＤ）やサブアドレス（ＳＵＢ）を用いても良い。また、省エネを解除する特定の発信元かどうかを、交換機から到来する発信者番号情報（ナンバ−ディスプレイ情報）を用いて判定しても良い。
【００３１】
図４、図５は、本発明の処理手順を示すフロ−チャ−トである。次に、このフロ−チャ−トについて説明する。
【００３２】
（１）ステップＳ１で処理プログラムを開始し、ステップＳ２で省エネの設定時刻かどうかを判定する。この判定結果がＮＯ（以下、Ｎと略記する）であれば、ステップＳ３の処理に移行して画像を受信して画像メモリに格納し、ステップＳ４の処理で画像を記録紙にプリントする。続いてステップＳ２３の処理で処理プログラムを終了する。なお、前記ステップＳ２の判定結果がＮの場合の処理については、通信手順の信号授受について省略している。
【００３３】
（２）ステップＳ２の判定結果がＹＥＳ（以下、Ｙと略記する）であればステップＳ５の処理に移行し、プリンタヒ−タオフとして省エネ状態とする。次にステップＳ６の処理で発信元からの着信有かどうかを判定する。この判定結果がＮであればステップＳ６の待機状態となる。
【００３４】
（３）ステップＳ６の判定結果がＹであれば、次にステップＳ７の処理でデジタル識別信号（ＤＩＳ）を送出する。続いて、ステップＳ８の処理で発信元情報（ＴＳＩ）とデジタル命令信号（ＤＣＳ）を検出する。また、ステップＳ９の処理で受信準備確認信号（ＣＦＲ）を送出する。
【００３５】
（４）次にステップＳ１０の処理で画像を受信し、画像メモリに格納する。続いてステップＳ１１の処理で手順終了信号（ＥＯＰ）を受信し、メッセ−ジ確認信号（ＭＣＦ）を送出する。次にステップＳ１２の処理で回線断とする。
【００３６】
（５）ステップＳ１３の処理で、発信元は特定の相手先かどうかを判定する。この判定結果がＮであれば、ステップＳ２３の処理で処理プログラムを終了する。ステップＳ１３の判定結果がＹであればステップＳ１４の処理に移行し、次の処理の設定は、連絡先への報知であるのか、プリントであるのか、または転送であるのかを判定する。
【００３７】
（６）ステップＳ１４の判定結果がプリントであるときには、続いてステップＳ１５の処理でプリンタヒ−タオンとして省エネを解除する。次にステップＳ１６の処理で受信画像を記録紙にプリントし、ステップＳ１７の処理で携帯電話等の予め設定されている連絡先にダイヤルする。また、ステップＳ１８の処理で受信画像のプリントを音声で報知し、ステップＳ２３の処理で処理プログラムを終了する。なお、ステップＳ１４の判定結果が報知である場合にも前記ステップＳ１７の処理に移行して、連絡先にダイヤルする。
【００３８】
（７）ステップＳ１３の判定結果が転送であるときには、ステップＳ１９の処理に移行して予め設定した転送先にダイヤルする。次にステップＳ２０の処理で画像メモリに格納されている受信画像を転送先に送信する。続いてステップＳ２１の処理で携帯電話等の予め設定されている連絡先にダイヤルする。また、ステップＳ２２の処理で受信画像の転送を音声で報知し、ステップＳ２３の処理で処理プログラムを終了する。
【００３９】
このように、省エネ状態のときに受信画像を他のファクス装置等の通信端末装置に転送する設定としているので、１台の通信端末装置を省エネ状態としたまま、転送先の他の通信端末装置で受信画像をプリントして内容の確認をすることができる。
【００４０】
上記の例では、携帯電話等の予め設定されている連絡先へのメッセ−ジの報知は音声により行なっている。本発明においては、このような音声による連絡先への報知には限定されず、通信端末装置をインタ−ネットで接続し、前記連絡先宛てに電子メ−ルでメッセ−ジを報知する構成とすることもできる。
【００４１】
また、通信端末装置は予め設定した時間で省エネ状態に切り替える例で説明したが、図１の省エネキ−を操作して省エネ状態に切り替えても良い。この場合には、特定の発信元から画像を受信すると、ＣＰＵ２１の処理により自動的に省エネが解除されて、記録紙に受信画像をプリントし、または省エネを維持した状態で転送先に転送する。
【００４２】
なお、音声メッセ−ジを送信する際には図１のモデムとして、例えばＩＴＵ（国際通信連合）のＴ．ｓｖｆ（音声ファクシミリ同時通信端末）勧告に基づいて構成されているＳＶＦモデムを使用することにより、画像と音声の通信を可能とすることができる。また、ハンドセットのような補助電話機を使用することもできる。
【００４３】
【発明の効果】
以上説明したように、請求項１に係る発明によれば、低電力モ−ドのときに特定の発信元から画像を受信すると低電力モ−ドを解除して受信画像を記録紙にプリントしている。このため、重要な情報の見落としを防止できる。
【００４４】
請求項２に係る発明によれば、低電力モ−ドのときに特定の発信元から受信した画像を転送先に転送している。このため、通信端末装置を低電力モ−ドに維持したままで、転送先で受信画像をプリントして内容の確認をすることができる。
【００４５】
請求項３に係る発明によれば、低電力モ−ドのときに特定の発信元からの受信画像があることを連絡先へ報知している。このため、ユ−ザが通信端末装置が設置されている場所に不在の場合でも、連絡先から通信端末装置側のオペレ−タに、当該受信画像の処理について適切な指示等を出すことができる。
【００４６】
請求項４に係る発明によれば、ユ−ザが通信端末装置が設置されている場所に不在の場合でも、連絡先への報知により、低電力モ−ドのときに特定の発信元から受信した画像がプリントされたこと、または転送先に転送されたことを確認することができる。
【図面の簡単な説明】
【図１】本発明の実施形態に係る通信端末装置の制御装置を示すブロック図である。
【図２】通信端末装置を通信回線に接続した例を示すブロック図である。
【図３】省エネ解除のテ−ブルを示す説明図である。
【図４】本発明の処理手順を示すフロ−チャ−トである。
【図５】本発明の処理手順を示すフロ−チャ−トである。
【符号の説明】
２１    中央演算制御部（ＣＰＵ）
２５    ＲＡＭ
２９    操作部
２９ａ  省エネキ−
３０    読取部
３１    記録部
３１ｂ  プリンタヒ−タ
【図１】
0003593971.tif 000002
【図２】
0003593971.tif 000003
【図３】
0003593971.tif 000004
【図４】
0003593971.tif 000005
【図５】
0003593971.tif 000006